(57)【要約】【課題】撮影画像と識別情報との食い違いを判断することができる画像処理装置および放射線撮像装置を提供することを目的とする。【解決手段】埋め込み部１５ｂは、識別情報であるＩＤをフォントデータに変換して撮影画像であるＸ線画像に埋め込んで、Ｘ線画像をフォントデータが埋め込まれたＸ線画像に変換する。そして、復元部９ａは、フォントデータが埋め込まれたＸ線画像から当該ＩＤに基づいて元のＸ線画像に復元する。Ｘ線画像とＩＤとの食い違いが発生しない場合には、当該ＩＤに基づいて復元時には元のＸ線画像に戻り、Ｘ線画像とＩＤとの食い違いが発生する場合には、食い違いのあった当該ＩＤに基づいて復元時にはＸ線画像上に明らかに異常なフォントデータが出力され、Ｘ線画像とＩＤとの食い違いを判断することができる。【選択図】図４
2011167294.tif 000002
【特許請求の範囲】
【請求項１】
収集された撮影画像に対して識別情報を付加して、この識別情報により前記撮影画像を識別する画像処理装置であって、
前記識別情報に関するフォントデータが埋め込まれた撮影画像から当該識別情報に基づいて元の撮影画像に復元する復元手段を備えることを特徴とする画像処理装置。
【請求項２】
請求項１に記載の画像処理装置において、
前記識別情報をフォントデータに変換して前記撮影画像に埋め込んで、前記撮影画像を前記フォントデータが埋め込まれた撮影画像に変換する埋め込み手段を備えることを特徴とする画像処理装置。
【請求項３】
請求項２に記載の画像処理装置において、
前記埋め込み手段は、前記フォントデータが埋め込まれる箇所の前記撮影画像上のデータをビット反転することで、前記撮影画像を前記フォントデータが埋め込まれた撮影画像に変換することを特徴とする画像処理装置。
【請求項４】
請求項１から請求項３のいずれかに記載の画像処理装置において、
前記復元手段は、前記フォントデータが埋め込まれた箇所の前記撮影画像上のデータをさらにビット反転することで、元の撮影画像に復元することを特徴とする画像処理装置。
【請求項５】
被検体に向けて放射線を照射する放射線照射手段と、前記被検体を透過した放射線を検出する放射線検出手段とを備え、検出された放射線に基づいて放射線画像を得ることで放射線撮像を行う放射線撮像装置であって、
収集された前記放射線画像に対して識別情報を付加して、この識別情報により前記放射線画像を識別する画像処理手段と、
前記識別情報をフォントデータに変換して前記放射線画像に埋め込んで、前記放射線画像を前記フォントデータが埋め込まれた放射線画像に変換する埋め込み手段と
を備え、
前記画像処理手段は、
前記フォントデータが埋め込まれた放射線画像から当該識別情報に基づいて元の放射線画像に復元する復元手段を備えることを特徴とする放射線撮像画像。
【請求項６】
請求項５に記載の放射線撮像装置において、
前記埋め込み手段を前記画像処理手段に備えることを特徴とする放射線撮像装置。
【請求項７】
請求項５または請求項６に記載の放射線撮像装置において、
前記埋め込み手段は、前記フォントデータが埋め込まれる箇所の前記放射線画像上のデータをビット反転することで、前記放射線画像を前記フォントデータが埋め込まれた放射線画像に変換することを特徴とする放射線撮像装置。
【請求項８】
請求項７に記載の放射線撮像装置において、
前記復元手段は、前記フォントデータが埋め込まれた箇所の前記放射線画像上のデータをさらにビット反転することで、元の放射線画像に復元することを特徴とする放射線撮像装置。
【発明の詳細な説明】
【技術分野】
【０００１】
この発明は、収集された撮影画像に対して識別情報を付加して、この識別情報により撮影画像を識別する画像処理装置および放射線撮像装置に関する。
【背景技術】
【０００２】
従来、この種の画像処理装置では、フラットパネル型Ｘ線検出器（ＦＰＤ）で撮影されて収集された撮影画像は、管電圧や管電流といったＸ線撮影時の撮影条件や患者（被検体）の氏名や年齢等の患者情報と併せて、データベースで管理される。通常、これらの撮影条件や患者情報（以下、「識別情報」あるいは「付帯情報」とも呼ぶ）と対応付けられてユニークなＩＤが撮影画像毎に生成される（例えば、特許文献１〜４参照）。
【先行技術文献】
【特許文献】
【０００３】
【特許文献１】特開２００６−３２０４８８号公報
【特許文献２】特開平９−１３０８２４号公報
【特許文献３】特開２００５−２５８６３１号公報
【特許文献４】特開２００５−１４９１８０号公報
【発明の概要】
【発明が解決しようとする課題】
【０００４】
しかしながら、データ転送中の不具合やデータベースの不具合により、撮影画像と撮影条件や患者情報とが食い違いが発生する可能性がある。そのためにデータ確認を行うときに時間がかかってしまう。
【０００５】
画像診断を行う医師にとっては、患者の体格や撮影された部位の情報から撮影画像と識別情報とが食い違っていることが判断できる場合もある。しかし、同一部位であれば食い違いに気付かない可能性が大きい。また、上述のＩＤは撮影条件と同様に付帯情報として扱われるので、何らかの原因で撮影画像データと食い違ってしまった場合にはＩＤでは判断することができない。
【０００６】
この発明は、このような事情に鑑みてなされたものであって、撮影画像と識別情報との食い違いを判断することができる画像処理装置および放射線撮像装置を提供することを目的とする。
【課題を解決するための手段】
【０００７】
この発明は、このような目的を達成するために、次のような構成をとる。
すなわち、この発明に係る画像処理装置は、収集された撮影画像に対して識別情報を付加して、この識別情報により前記撮影画像を識別する画像処理装置であって、前記識別情報に関するフォントデータが埋め込まれた撮影画像から当該識別情報に基づいて元の撮影画像に復元する復元手段を備えることを特徴とするものである。
【０００８】
［作用・効果］この発明に係る画像処理装置によれば、復元手段は、識別情報に関するフォントデータが埋め込まれた撮影画像から当該識別情報に基づいて元の撮影画像に復元する。もし撮影画像と識別情報との食い違いが発生しない場合には、当該識別情報に基づいて復元時には元の撮影画像に戻る。もし撮影画像と識別情報との食い違いが発生する場合には、食い違いのあった当該識別情報に基づいて復元時には撮影画像上に明らかに異常なフォントデータが出力され、撮影画像と識別情報との食い違いとが一目で判る。これにより、撮影画像と識別情報との食い違いを判断することができる。
【０００９】
この発明に係る画像処理装置において、識別情報をフォントデータに変換して撮影画像に埋め込んで、撮影画像をフォントデータが埋め込まれた撮影画像に変換する埋め込み手段を備えてもよい。この場合には、埋め込み手段は、識別情報をフォントデータに変換して撮影画像に埋め込んで、撮影画像をフォントデータが埋め込まれた撮影画像に変換する。そして、復元手段は、フォントデータが埋め込まれた撮影画像から当該識別情報に基づいて元の撮影画像に復元することになる。
【００１０】
上述の埋め込み手段の一例は、フォントデータが埋め込まれる箇所の撮影画像上のデータをビット反転することで、撮影画像をフォントデータが埋め込まれた撮影画像に変換することである。埋め込まれる箇所においてビット反転することで画像上の白い部分は黒くなり、黒い部分は白くなり、その箇所だけネガ状になるので、フォントとして認識することができる。この一例の場合には、復元手段は、フォントデータが埋め込まれた箇所の撮影画像上のデータをさらにビット反転することで、元の撮影画像に復元する。もし撮影画像と識別情報との食い違いが発生しない場合には、当該識別情報が変換されたフォントデータが埋め込まれた箇所の撮影画像上のデータをさらにビット反転するので、元の撮影画像に戻る。もし撮影画像と識別情報との食い違いが発生する場合には、食い違いのあった当該識別情報が変換されたフォントデータが埋め込まれた箇所の撮影画像上のデータをビット反転するので、埋め込み時のフォントデータに対応していない箇所のデータがビット反転される。したがって、復元時には撮影画像上に明らかに異常なフォントデータが出力され、撮影画像と識別情報との食い違いとが一目で判る。
【００１１】
また、この発明に係る放射線撮像装置は、被検体に向けて放射線を照射する放射線照射手段と、前記被検体を透過した放射線を検出する放射線検出手段とを備え、検出された放射線に基づいて放射線画像を得ることで放射線撮像を行う放射線撮像装置であって、収集された前記放射線画像に対して識別情報を付加して、この識別情報により前記放射線画像を識別する画像処理手段と、前記識別情報をフォントデータに変換して前記放射線画像に埋め込んで、前記放射線画像を前記フォントデータが埋め込まれた放射線画像に変換する埋め込み手段とを備え、前記画像処理手段は、前記フォントデータが埋め込まれた放射線画像から当該識別情報に基づいて元の放射線画像に復元する復元手段を備えることを特徴とするものである。
【００１２】
［作用・効果］この発明に係る放射線撮像装置によれば、この発明に係る画像処理装置を画像処理部として放射線撮像装置に組み込んで、放射線撮像装置に上述の埋め込み手段を備え、画像処理装置の撮影画像を放射線画像に適用することで、放射線画像と識別情報との食い違いを判断することができる。
【００１３】
この発明に係る画像処理装置と同様に、この埋め込み手段を画像処理手段（画像処理装置）に備えてもよい。埋め込み手段の一例や復元手段の一例については、この発明に係る画像処理装置で既に述べているので省略する。
【発明の効果】
【００１４】
この発明に係る画像処理装置および放射線撮像装置によれば、撮影画像と識別情報との食い違いが発生しない場合には、当該識別情報に基づいて復元時には元の撮影画像に戻り、撮影画像と識別情報との食い違いが発生する場合には、食い違いのあった当該識別情報に基づいて復元時には撮影画像上に明らかに異常なフォントデータが出力され、撮影画像と識別情報との食い違いを判断することができる。
【図面の簡単な説明】
【００１５】
【図１】実施例に係るＸ線撮像装置のブロック図である。
【図２】側面視したフラットパネル型Ｘ線検出器（ＦＰＤ）の等価回路である。
【図３】平面視したフラットパネル型Ｘ線検出器（ＦＰＤ）の等価回路である。
【図４】実施例に係る画像処理部およびその周辺のブロック図およびデータの流れの模式図である。
【図５】埋め込みの手順を示した模式図である。
【図６】（ａ）はビット反転前のグレースケールの模式図、（ｂ）はビット反転後のグレースケールの模式図である。
【図７】実施例に係る埋め込み後のＸ線画像の模式図である。
【図８】食い違いが発生したときにおける復元後のＸ線画像の模式図である。
【図９】変形例に係るグレースケールの模式図である。
【図１０】変形例に係る埋め込み後のＸ線画像の模式図である。
【実施例】
【００１６】
以下、図面を参照してこの発明の実施例を説明する。
図１は、実施例に係る画像処理部を用いたＸ線撮像装置のブロック図である。本実施例では放射線検出手段としてフラットパネル型Ｘ線検出器（以下、「ＦＰＤ」と略記する）を例に採るとともに、放射線撮像装置としてＸ線撮像装置を例に採って説明する。
【００１７】
Ｘ線透視撮影装置は、図１に示すように、被検体Ｍを載置する天板１と、その被検体Ｍに向けてＸ線を照射するＸ線管２と、被検体Ｍを透過したＸ線を検出するＦＰＤ３とを備えている。Ｘ線管２は、この発明における放射線照射手段に相当し、ＦＰＤ３は、この発明における放射線検出手段に相当する。
【００１８】
Ｘ線撮像装置は、他に、天板１の昇降および水平移動を制御する天板制御部４や、ＦＰＤ３の走査を制御するＦＰＤ制御部５や、Ｘ線管２の管電圧や管電流を発生させる高電圧発生部６を有するＸ線管制御部７や、ＦＰＤ３から電荷信号であるＸ線検出信号をディジタル化して取り出すＡ／Ｄ変換器８や、Ａ／Ｄ変換器８から出力されたＸ線検出信号に基づいて種々の処理を行う画像処理部９や、これらの各構成部を統括するコントローラ１０や、処理された画像などを記憶するメモリ部１１や、オペレータが入力設定を行う入力部１２や、処理された画像などを表示するモニタ１３などを備えている。
【００１９】
天板制御部４は、天板１を水平移動させて被検体Ｍを撮像位置にまで収容したり、昇降、回転および水平移動させて被検体Ｍを所望の位置に設定したり、水平移動させながら撮像を行ったり、撮像終了後に水平移動させて撮像位置から退避させる制御などを行う。ＦＰＤ制御部５は、ＦＰＤ３を水平移動させたり、被検体Ｍの体軸の軸心周りに回転移動させることによる走査に関する制御などを行う。高電圧発生部６は、Ｘ線を照射させるための管電圧や管電流を発生してＸ線管２に与え、Ｘ線管制御部７は、Ｘ線管２を水平移動させたり、被検体Ｍの体軸の軸心周りに回転移動させることによる走査に関する制御や、Ｘ線管２側のコリメータ（図示省略）の照視野の設定の制御などを行う。なお、Ｘ線管２やＦＰＤ３の走査の際には、Ｘ線管２から照射されたＸ線をＦＰＤ３が検出できるようにＸ線管２およびＦＰＤ３が互いに対向しながらそれぞれの移動を行う。
【００２０】
コントローラ１０は、中央演算処理装置（ＣＰＵ）などで構成されており、メモリ部１１は、ＲＯＭ（Read-only Memory）やＲＡＭ（Random-Access Memory）などに代表される記憶媒体などで構成されている。また、入力部１２は、マウスやキーボードやジョイスティックやトラックボールやタッチパネルなどに代表されるポインティングデバイスで構成されている。
【００２１】
Ｘ線撮像装置では、被検体Ｍを透過したＸ線をＦＰＤ３が検出して、検出されたＸ線に基づいて画像処理部９で画像処理を行うことで被検体Ｍの撮像を行う。本実施例では、画像処理部９は後述する埋め込みをも行う。画像処理部９の具体的な機能については、図４〜図８で後述する。画像処理部９は、この発明における画像処理装置に相当し、この発明における画像処理手段にも相当する。
【００２２】
メモリ部１１は、画像処理部９で処理された各々の画像を書き込んで記憶するように構成されている。本実施例では、生成されたＩＤと撮影条件や患者情報とが対応付けられて、データベースとしてメモリ部１１に書き込んで記憶している。ＦＰＤ制御部５やＸ線管制御部７も、コントローラ１０と同様にＣＰＵなどで構成されている。
【００２３】
次に、フラットパネル型Ｘ線検出器（ＦＰＤ）３の構造について、図２および図３を参照して説明する。図２は、側面視したフラットパネル型Ｘ線検出器（ＦＰＤ）の等価回路であり、図３は、平面視したフラットパネル型Ｘ線検出器（ＦＰＤ）の等価回路である。
【００２４】
ＦＰＤ３は、図２に示すように、ガラス基板３１と、ガラス基板３１上に形成された薄膜トランジスタＴＦＴとから構成されている。薄膜トランジスタＴＦＴについては、図２、図３に示すように、縦・横式２次元マトリクス状配列でスイッチング素子３２が多数個（例えば、1024個×1024個）形成されており、キャリア収集電極３３ごとにスイッチング素子３２が互いに分離形成されている。すなわち、ＦＰＤ３は、２次元アレイ放射線検出器でもある。
【００２５】
図２に示すようにキャリア収集電極３３の上にはＸ線感応型半導体３４が積層形成されており、図２、図３に示すようにキャリア収集電極３３は、スイッチング素子３２のソースＳに接続されている。ゲートドライバ３５からは複数本のゲートバスライン３６が接続されているとともに、各ゲートバスライン３６はスイッチング素子３２のゲートＧに接続されている。一方、図３に示すように、電荷信号を収集して１つに出力するマルチプレクサ３７には増幅器３８を介して複数本のデータバスライン３９が接続されているとともに、図２、図３に示すように各データバスライン３９はスイッチング素子３２のドレインＤに接続されている。
【００２６】
図示を省略する共通電極にバイアス電圧を印加した状態で、ゲートバスライン３６の電圧を印加（または０Ｖに）することでスイッチング素子３２のゲートがＯＮされて、キャリア収集電極３３は、検出面側で入射したＸ線からＸ線感応型半導体３４を介して変換された電荷信号（キャリア）を、スイッチング素子３２のソースＳとドレインＤとを介してデータバスライン３９に読み出す。なお、スイッチング素子がＯＮされるまでは、電荷信号はキャパシタ（図示省略）で暫定的に蓄積されて記憶される。各データバスライン３９に読み出された電荷信号を増幅器３８で増幅して、マルチプレクサ３７で１つの電荷信号にまとめて出力する。出力された電荷信号をＡ／Ｄ変換器８でディジタル化してＸ線検出信号として出力する。
【００２７】
次に、画像処理部９の具体的な機能について、図４〜図８を参照して説明する。図４は、実施例に係る画像処理部およびその周辺のブロック図およびデータの流れの模式図であり、図５は埋め込みの手順を示した模式図であり、図６は、ビット反転前およびビット反転後のグレースケールの模式図であり、図７は、実施例に係る埋め込み後のＸ線画像の模式図であり、図８は、食い違いが発生したときにおける復元後のＸ線画像の模式図である。
【００２８】
図４に示すように、ＦＰＤ３やＦＰＤ制御部５（図４では図示省略）やＡ／Ｄ変換器８をまとめてＦＰＤ部１５とする。ＦＰＤ部１５は、上述のＦＰＤ３やＦＰＤ制御部５やＡ／Ｄ変換器８の他に、ＩＤ生成部１５ａと埋め込み部１５ｂとを備えている。また、画像処理部９は、図４に示すように、復元部９ａとを備えている。ＩＤ生成部１５ａは、ＦＰＤ３からＡ／Ｄ変換器８を経て出力されたＸ線検出信号に基づいたＸ線画像毎に、管電圧や管電流といったＸ線撮影時の撮影条件や患者（被検体）の氏名や年齢等の患者情報と対応付けて、ユニークなＩＤを生成する。例としては撮影順序毎に連番を付すればよい。ユニークなＩＤをＩＤ生成部１５ａが生成することで、撮影画像であるＸ線画像を識別する。この対応付けられたＩＤと撮影条件や患者情報をデータベースとしてメモリ部１１に書き込んで記憶する。ＩＤや撮影条件や患者情報はこの発明における識別情報に相当する。
【００２９】
埋め込み部１５ｂは、ＩＤ生成部１５ａで生成されたＩＤをフォントデータに変換してＸ線画像に埋め込んで、Ｘ線画像をフォントデータが埋め込まれたＸ線画像に変換する。本実施例では、埋め込み部１５ｂは、フォントデータが埋め込まれる箇所のＸ線画像上のデータをビット反転することで、Ｘ線画像をフォントデータが埋め込まれたＸ線画像に変換する。埋め込み部１５ｂは、この発明における埋め込み手段に相当する。
【００３０】
復元部９ａは、フォントデータが埋め込まれたＸ線画像から当該ＩＤに基づいて元のＸ線画像に復元する。本実施例では、復元部９ａは、フォントデータが埋め込まれた箇所のＸ線画像上のデータをさらにビット反転することで、元の撮影画像であるＸ線画像に復元する。復元された元のＸ線画像を適宜必要に応じてモニタ１３に表示する。復元部９ａは、この発明における復元手段に相当する。
【００３１】
一方、画像処理部９の周辺では、入力部１２に患者（被検体）の氏名（図４では「患者名」で表記）や年齢等を入力して、コントローラ１０を介して画像処理部９に送り込む。患者の氏名や年齢等の入力データを、ＩＤ生成部１５ａで生成されたＩＤと対応付けて、データベースとしてメモリ部１１に書き込んで記憶する。高電圧発生部６で設定された管電圧や管電流といったＸ線撮影時の撮影条件を、コントローラ１０を介して画像処理部９に送り込む。これら撮影条件を、患者の氏名や年齢等の入力データとともに、ＩＤ生成部１５ａで生成されたＩＤと対応付けて、データベースとしてメモリ部１１に書き込んで記憶する。
【００３２】
続いて、埋め込み部１５ｂおよび復元部９ａの具体的な処理を中心にして説明する。上述したようにＦＰＤ３からＡ／Ｄ変換器８を経て出力されたＸ線検出信号に基づいたＸ線画像毎に、Ｘ線撮影時の撮影条件や患者の氏名や年齢等の患者情報と対応付けて、ユニークなＩＤを生成する。以降は、ある撮影条件や患者の氏名や年齢等の患者情報で得られたＸ線画像は、当該撮影条件や患者の氏名や年齢等の患者情報と対応付けられたＩＤと一対一で対応付けられて、埋め込み部１５ｂおよび復元部９ａの処理を行う。
【００３３】
埋め込み１５ｂでは、Ｘ線画像と同じピクセルサイズのＩＤ表示領域を準備する（図５のステップＳ１）。ＩＤ表示領域の任意の位置（図５のステップＳ２における破線を参照）にＩＤを設定する（図５のステップＳ２）。本実施例では、ＩＤが「１２３４５」の５桁の場合を例に採って説明する。ＩＤをフォントデータに変換して、そのフォントデータを設定された位置に表示する。ＩＤが「１２３４５」の５桁の場合には左から順に「１」，［２］，「３」，「４」および「５」の数字からなる文字がそれぞれ並ぶ（図５のステップＳ３を参照）。Ｘ線画像では、この数字の位置に相当する箇所（画素）が、フォントデータが埋め込まれる箇所となる。そして、フォントデータが埋め込まれる箇所のデータ（画素値）をビット反転する（図５のステップＳ４）。
【００３４】
通常は、グレースケールでは、図６（ａ）に示すように画素値（ピクセル値）は低ければ画像が黒く、画素値（ピクセル値）が高ければ画像が白く表示される。Ａ／Ｄ変換器８によってディジタル化されたＸ線検出信号の値（すなわち画素値：ピクセル値）は“ｘｘ…ｘ”と表され、ｘには“０”か“１”のいずれかとなる。したがって、ディジタル化された画素値“００…０”は最も黒く、ビット反転することで“１１…１”となり、最も白くなる。逆に、ディジタル化された画素値“１１…１”は最も白く、ビット反転することで“００…０”となる。したがって、ビット反転後のグレースケールでは、図６（ｂ）に示すように反転前の画素値（ピクセル値）が低ければ反転後の画像は白く、反転前の画素値（ピクセル値）が高ければ反転後の画像は黒く表示される。
【００３５】
このように、フォントデータが埋め込まれる箇所のＸ線画像上のデータ（画素値）をビット反転することで、例えば数字「１」の領域では「１」で象られた箇所が、「１」が埋め込まれる箇所となり、図７に示すように当該箇所では反転前では黒っぽい画素が多いこともあって反転後では白っぽくなる。したがって、象られた箇所の外側周囲が黒っぽいことから、象られた箇所が目立ち、Ｘ線画像上で「１」を認識することができつつ、「１」をＸ線画像に埋め込むことができる。同様に、数字「２」の領域では「２」で象られた箇所が、「２」が埋め込まれる箇所となり、図７に示すように当該箇所では反転前ではやや黒っぽい画素が多いこともあって反転後では薄い灰色っぽくなる。象られた箇所の外側周囲がやや黒っぽいことから、象られた箇所が目立ち、Ｘ線画像上で「２」を認識することができつつ、「２」をＸ線画像に埋め込むことができる。他の数字についても同様の処理を行う。なお、画素値が、黒に相当する低い値でもなく、白に相当する高い値でもなく、中間程度の値の場合には反転前では灰色であり、反転後でも灰色となり変わらないが、実際の画像では当該箇所において画素値は一様でないので、象られた箇所の外側周囲に対して目立ち問題はない。
【００３６】
もしＸ線画像とＩＤとの食い違いが発生しない場合には、当該ＩＤが変換されたフォントデータが埋め込まれた箇所のＸ線画像上のデータを復元部９ａがさらにビット反転するので、元のＸ線画像に復元されて戻る。復元時にＩＤが「１２３４５」の５桁のままの場合には食い違いが発生しないので、当該「１２３４５」の数字の位置に相当する箇所（画素）上の反転後の画素値（ピクセル値）がさらにビット反転されて、基に戻る。したがって、Ｘ線画像からＩＤが消えることになる。
【００３７】
もしＸ線画像とＩＤとの食い違いが発生した場合には、食い違いのあった当該ＩＤが変換されたフォントデータが埋め込まれた箇所のＸ線画像上のデータを復元部９ａがビット反転するので、埋め込み時のフォントデータに対応していない箇所のデータがビット反転される。復元時にＩＤが「１２３４５」からデータ転送中の不具合やデータベースの不具合により「１２５６８」の５桁になった場合には食い違いが発生するので、食い違いのあった当該「１２５６８」の数字の位置に相当する箇所（画素）上の反転後の画素値（ピクセル値）がビット反転されて、図８に示すような復元後のＸ線画像となる。したがって、復元時にはＸ線画像上に明らかに異常なフォントデータが出力され、Ｘ線画像とＩＤとの食い違いとが一目で判る。なお、左端の「１」および左端から２番目の「２」については、食い違いのあった場合でも「１」および「２」でそれぞれ一致するので、図８に示すようにＸ線画像から［１］，「２」のみ消えることになる。
【００３８】
本実施例に係る画像処理部９によれば、復元部９ａは、識別情報（ここではＩＤ）に関するフォントデータが埋め込まれた撮影画像であるＸ線画像から当該識別情報（ＩＤ）に基づいて元のＸ線画像に復元する。もしＸ線画像と識別情報（ＩＤ）との食い違いが発生しない場合には、当該識別情報（ＩＤ）に基づいて復元時には元のＸ線画像に戻る。もしＸ線画像と識別情報（ＩＤ）との食い違いが発生する場合には、食い違いのあった当該識別情報（ＩＤ）に基づいて復元時にはＸ線画像上に明らかに異常なフォントデータが出力され、Ｘ線画像と識別情報（ＩＤ）との食い違いとが一目で判る。これにより、Ｘ線画像と識別情報（ＩＤ）との食い違いを判断することができる。
【００３９】
本実施例では、識別情報（ＩＤ）をフォントデータに変換してＸ線画像に埋め込んで、Ｘ線画像をフォントデータが埋め込まれたＸ線画像に変換する埋め込み部１５ｂを備えている。この場合には、埋め込み部１５ｂは、識別情報（ＩＤ）をフォントデータに変換してＸ線画像に埋め込んで、Ｘ線画像をフォントデータが埋め込まれたＸ線画像に変換する。そして、復元部９ａは、フォントデータが埋め込まれたＸ線画像から当該識別情報（ＩＤ）に基づいて元のＸ線画像に復元することになる。
【００４０】
本実施例では、フォントデータが埋め込まれる箇所のＸ線画像上のデータをビット反転することで、Ｘ線画像をフォントデータが埋め込まれたＸ線画像に変換している。埋め込まれる箇所においてビット反転することで画像上の白い部分は黒くなり、黒い部分は白くなり、その箇所だけネガ状になるので、フォントとして認識することができる。本実施例の場合には、復元部９ａは、フォントデータが埋め込まれた箇所のＸ線画像上のデータをさらにビット反転することで、元のＸ線画像に復元する。もしＸ線画像と識別情報（ＩＤ）との食い違いが発生しない場合には、当該識別情報（ＩＤ）が変換されたフォントデータが埋め込まれた箇所のＸ線画像上のデータをさらにビット反転するので、元のＸ線画像に戻る。もしＸ線画像と識別情報（ＩＤ）との食い違いが発生する場合には、食い違いのあった当該識別情報（ＩＤ）が変換されたフォントデータが埋め込まれた箇所のＸ線画像上のデータをビット反転するので、埋め込み時のフォントデータに対応していない箇所のデータがビット反転される。したがって、復元時にはＸ線画像上に明らかに異常なフォントデータが出力され、Ｘ線画像と識別情報（ＩＤ）との食い違いとが一目で判る。
【００４１】
本実施例に係るＸ線撮像装置によれば、本実施例に係る画像処理部９を放射線撮像装置（本実施例ではＸ線撮像装置）に組み込んで、放射線撮像装置（Ｘ線撮像装置）に上述の埋め込み部１５ｂを備え、画像処理部９の撮影画像を放射線画像（本実施例ではＸ線画像）に適用することで、放射線画像（Ｘ線画像）と識別情報（ＩＤ）との食い違いを判断することができる。
【００４２】
この発明は、上記実施形態に限られることはなく、下記のように変形実施することができる。
【００４３】
（１）上述した実施例では、放射線撮像装置としてＸ線撮像装置を例に採って説明したが、ＰＥＴ(Positron Emission Tomography)装置やＳＰＥＣＴ（Single Photon Emission CT）装置などに代表されるＥＣＴ（Emission Computed Tomography）装置のように、Ｘ線以外の放射線（ＰＥＴ装置の場合にはγ線）を検出して、検出された放射線に基づいて放射線画像を得ることで放射線撮像を行う放射線撮像装置に適用してもよい。
【００４４】
（２）上述した実施例では、画像処理装置（実施例では画像処理部９）を放射線撮像装置（実施例ではＸ線撮像装置）に組み込んだが、画像処理装置単体でもよい。すなわち、収集された撮影画像に対して識別情報を付加して、この識別情報により撮影画像を識別する画像処理装置であれば、特に限定されない。
【００４５】
（３）上述した実施例では、画像処理装置（実施例では画像処理部９）の外部（実施例ではＦＰＤ部１５）に埋め込み部１５ｂを備えたが、画像処理装置（画像処理部９）に埋め込み部１５ｂを備えてもよい。
【００４６】
（４）上述した実施例では、識別情報はＩＤであり、ＩＤは５桁の数字であったが、桁数については特に限定されない。また、フォントデータであれば、英数字、記号、漢字並びに各国言語等何でもよい。
【００４７】
（５）上述した実施例では、埋め込まれる識別情報はＩＤであったが、上述した撮影条件や患者の氏名や年齢等の患者情報をフォントデータに変換して撮影画像（実施例ではＸ線画像）に埋め込んでもよい。もちろん、ＩＤとともに撮影条件や患者の氏名や年齢等の患者情報をフォントデータに変換して撮影画像（Ｘ線画像）に埋め込んでもよい。
【００４８】
（６）上述した実施例では、フォントデータが埋め込まれる箇所の撮影画像（実施例ではＸ線画像）上のデータをビット反転することで、撮影画像（Ｘ線画像）をフォントデータが埋め込まれた撮影画像（Ｘ線画像）に変換したが、ビット反転に限定されない。一対一の変換であれば、例えばグレースケールにおいて、図９に示すようにビットをシフトさせてもよい。
【００４９】
（７）上述した実施例では、ビット反転などのように一対一の変換であったが、これに限定されない。例えば、図１０に示すようにフォントデータの縁のみ黒あるいは白（いわゆる縁取り）にして、フォントデータに変換して撮影画像に埋め込んでもよい。なお、フォントデータが埋め込まれる箇所については、実施例のように変換前の画素値に依存せずに、図１０に示すように縁内の箇所については一様に同じ画素値（図１０では白で、高い画素値）であってもよいし、実施例と組み合わせて縁内の箇所ではビット反転してもよい。
【００５０】
（８）食い違いが発生した場合には、食い違いがないと仮定したときの識別情報を推定して、その推定された識別情報に基づいて復元することで、元の撮影画像（実施例ではＸ線画像）に戻して、食い違いのあった画像を修正してもよい。
【符号の説明】
【００５１】
２  …  Ｘ線管
３  …  フラットパネル型Ｘ線検出器（ＦＰＤ）
９  …  画像処理部
１５ｂ  …  埋め込み部
９ａ  …  復元部
【図１】
2011167294.tif 000003
【図２】
2011167294.tif 000004
【図３】
2011167294.tif 000005
【図４】
2011167294.tif 000006
【図５】
2011167294.tif 000007
【図６】
2011167294.tif 000008
【図９】
2011167294.tif 000009
【図７】
2011167294.tif 000010
【図８】
2011167294.tif 000011
【図１０】
2011167294.tif 000012